(57)【特許請求の範囲】
【請求項１】
液晶表示装置を内蔵した本体ケースの前面に、前記液晶表示装置を露出させるための映像用開口が開設されているとともに、前記開口の周囲に、前記本体ケースの前面よりも後側へ凹んだ取付用凹部が設けられており、
さらに前記液晶表示装置に表示される映像を前記本体ケースの前面側から視認させるための第１の透明部を有するパネルが、前記取付用凹部内に前記映像用開口を覆うように取り付けられたインターホン機器であって、
前記パネルの外周縁に沿って、且つ当該外周縁を含む位置に、第２の透明部が設けられている一方、
前記取付用凹部における前記第２の透明部に覆われる位置であって、前記取付用凹部の周縁よりも所定幅だけ前記取付用凹部の内側となる位置に、前記本体ケース内と連通する光源用開口が開設され、前記光源用開口の開口縁と前記取付用凹部の内周面との間に段部が形成されており、前記取付用凹部に取り付けられた状態にある前記パネルの外周縁と前記段部とが前後で重なっているとともに、機器の状態に応じて点灯／点滅する光源が、前記光源用開口内に露出するように前記本体ケースに内蔵されており、
前記光源の点灯／点滅が、前記第２の透明部を介して前記本体ケースの前面側から視認可能となっていることを特徴とするインターホン機器。
【請求項２】
前記パネルの下側に隣接して、押し込み操作可能な操作ボタンが設けられており、前記操作ボタンの操作に応じて他のインターホン機器との通話が可能となるインターホン機器であって、
前記光源が、他のインターホン機器との通話に係る状態に応じて点灯／点滅するとともに、前記第２の透明部が前記パネルの下縁に沿って設けられていることを特徴とする請求項１に記載のインターホン機器。
【発明の詳細な説明】
【技術分野】
【０００１】
本発明は、たとえば居室内に設置され、インターホン子機からの呼び出しに応答するインターホン親機等といったインターホン機器に関するものである。
【背景技術】
【０００２】
従来、たとえば居室内に設置されるインターホン親機には、点灯／点滅により機器の状態を報知するための種々の表示灯が設けられている。そのような表示灯としては、たとえばインターホン子機からの呼び出しに応じて点滅するとともに、その呼び出しに対して応答操作し、インターホン子機との間で通話可能な状態になると点灯するといった通話表示灯がある（たとえば特許文献１）。そして、その通話表示灯は、本体ケースに開設される光源用開口と、光源用開口内に露出するように本体ケースに内蔵される光源と、光源用開口を覆う透明部を有するパネルとから構成されており、透明部を介して光源が発する光を本体ケースの前面側から視認可能としている。
【先行技術文献】
【特許文献】
【０００３】
【特許文献１】特開２００７−９６５０１号公報
【発明の概要】
【発明が解決しようとする課題】
【０００４】
上記通話表示灯に代表される表示灯の透明部は、映像を表示する液晶表示装置を覆うパネルの一部として設けられることがある。また、このパネルは、本体ケースの表面に設けられた取付用凹部内に取り付けられることが多い。ただ、パネルを取付用凹部内に取り付けるにあたっては、寸法精度の都合でパネルの外周縁と取付用凹部の外周縁との間にある程度の隙間が形成されてしまう。一方、液晶表示装置を覆うパネルに表示灯用の透明部を設けるにあたっては、デザイン性を考慮し、パネルの外周縁に沿って透明部を設けることが考えられる。しかしながら、パネルの外周縁に沿って透明部を設けると、光源が点灯／点滅した際、その光がパネルの外周縁とパネル取付凹部との間の隙間から漏れ出してしまい、隙間の存在が強調されてしまう等、外観が損なわれるという問題が生じてしまう。
【０００５】
そこで、本発明は、上記問題に鑑みなされたものであって、パネルの外周縁に沿って透明部を設けているにも拘わらず、光源が発する光がパネルと取付用凹部との隙間から漏れ出しにくいインターホン機器を提供しようとするものである。
【課題を解決するための手段】
【０００６】
上記目的を達成するために、本発明のうち請求項１に記載の発明は、液晶表示装置を内蔵した本体ケースの前面に、液晶表示装置を露出させるための映像用開口が開設されているとともに、開口の周囲に、本体ケースの前面よりも後側へ凹んだ取付用凹部が設けられており、さらに液晶表示装置に表示される映像を本体ケースの前面側から視認させるための第１の透明部を有するパネルが、取付用凹部内に映像用開口を覆うように取り付けられたインターホン機器であって、パネルの外周縁に沿って、且つ当該外周縁を含む位置に、第２の透明部が設けられている一方、取付用凹部における第２の透明部に覆われる位置であって、取付用凹部の周縁よりも所定幅だけ取付用凹部の内側となる位置に、本体ケース内と連通する光源用開口が開設され、光源用開口の開口縁と取付用凹部の内周面との間に段部が形成されており、取付用凹部に取り付けられた状態にあるパネルの外周縁と段部とが前後で重なっているとともに、機器の状態に応じて点灯／点滅する光源が、光源用開口内に露出するように本体ケースに内蔵されており、光源の点灯／点滅が、第２の透明部を介して本体ケースの前面側から視認可能となっていることを特徴とする。
請求項１に記載の発明によれば、パネルの外周縁に沿って、且つ当該外周縁を含む位置に、第２の透明部が設けられている一方、取付用凹部における第２の透明部に覆われる位置であって、取付用凹部の周縁よりも所定幅だけ取付用凹部の内側となる位置に、本体ケース内と連通する光源用開口が開設され、光源用開口の開口縁と取付用凹部の内周面との間に段部が形成されており、取付用凹部に取り付けられた状態にあるパネルの外周縁と段部とが前後で重なっている。そのため、光源用開口内に露出するように本体ケースに内蔵された光源が、機器の状態に応じて点灯／点滅した際、その光がパネルと取付用凹部との隙間から漏れ出しにくい。したがって、隙間の存在が強調されにくく、外観が損なわれるようなことがない。また、パネルや取付用凹部の寸法精度をそれほど高める必要がないため、安価に構成することができる。
【０００７】
請求項２に記載の発明は、請求項１に記載の発明において、パネルの下側に隣接して、押し込み操作可能な操作ボタンが設けられており、操作ボタンの操作に応じて他のインターホン機器との通話が可能となるインターホン機器であって、光源が、他のインターホン機器との通話に係る状態に応じて点灯／点滅するとともに、第２の透明部がパネルの下縁に沿って設けられていることを特徴とする。
請求項２に記載の発明によれば、パネルの下側に隣接して、押し込み操作可能な操作ボタンを設けたインターホン機器において、光源が、他のインターホン機器との通話に係る状態に応じて点灯／点滅するとともに、第２の透明部がパネルの下縁に沿って設けられているため、操作ボタンの近傍に表示灯が設けられることになり、使用者は、表示灯の点灯／点滅、ひいてはインターホン機器の通話にかかる状態を判別しやすいし、デザイン性にも優れたインターホン機器とすることができる。
【発明の効果】
【０００８】
本発明によれば、パネルの外周縁に沿って、且つ当該外周縁を含む位置に、第２の透明部が設けられている一方、取付用凹部における第２の透明部に覆われる位置であって、取付用凹部の周縁よりも所定幅だけ取付用凹部の内側となる位置に、本体ケース内と連通する光源用開口が開設され、光源用開口の開口縁と取付用凹部の内周面との間に段部が形成されており、取付用凹部に取り付けられた状態にあるパネルの外周縁と段部とが前後で重なっている。そのため、光源用開口内に露出するように本体ケースに内蔵された光源が、機器の状態に応じて点灯／点滅した際、その光がパネルと取付用凹部との隙間から漏れ出しにくい。したがって、隙間の存在が強調されにくく、外観が損なわれるようなことがない。
【図面の簡単な説明】
【０００９】
【図１】インターホン親機を前側から示した斜視説明図である。
【図２】インターホン親機の左右方向での中央部分における上下方向での断面を示した説明図である。
【図３】図２中の一点鎖線で囲まれた領域を拡大して示した説明図である。
【発明を実施するための形態】
【００１０】
以下、本発明の一実施形態となるインターホン親機について、図面にもとづき詳細に説明する。
【００１１】
図１は、インターホン親機１を前側から示した斜視説明図である。図２は、インターホン親機１の左右方向での中央部分における上下方向での断面を示した説明図である。図３は、図２中の一点鎖線で囲まれた領域を拡大して示した説明図である。
インターホン親機１は、前側に配置される前ケース２と、後側に配置される後ケース３とを組み付けてなる本体ケースを有している。この本体ケースの前面上部には、インターホン子機（図示せず）で撮像された映像等を表示するための映像表示部４が設けられている。また、映像表示部４の右側には、居住者が来訪者と通話等するためのマイク部５が設けられている。さらに、映像表示部４の下側には、インターホン子機１からの呼び出しに応答する際等に、居住者が押し込み操作する応答ボタン６が設けられている。加えて、応答ボタン６の更に下側には、居住者が来訪者と通話等するためのスピーカ部７が設けられている。そして、このようなインターホン親機１は、居室内の壁面等に設置されており、インターホン子機からの呼び出しに応じて応答ボタン６を操作すると、映像表示部４に映像が表示されるとともにインターホン子機との間で通話可能な状態となる。なお、９は、インターホン親機１の照明灯（図示せず）を点灯させたり、通話に係る音量を調整したりするための機能ボタンである。
【００１２】
ここで、本発明の要部となるインターホン親機１の通話表示灯２０について詳細に説明する。
通話表示灯２０は、インターホン親機１における通話状態を使用者に報知するためのものであって、映像表示部４の一部として設けられている。そこで、まず映像表示部４の主な構造について説明すると、映像表示部４は、本体ケースの前面に開設された映像用開口１０と、映像用開口１０内に露出するように本体ケースに内蔵された液晶表示装置１２と、映像用開口１０を含め液晶表示装置１２の前側を覆うように本体ケースの前面に取り付けられるパネル１１とを備えてなる。パネル１１は、正面視略矩形状に形成された板体であって、中央上寄りとなる位置には、液晶表示装置１２に表示される映像を視認させるための第１の透明部１１Ａが設けられている。さらに、本体ケースの前面における映像用開口１０の周囲は、本体ケースの他の前面よりもパネル１１と略同じ厚みだけ後側へ凹んでおり、正面視がパネル１１と略同形状とされたパネル取付用凹部１３が設けられており、パネル１１は、該パネル取付用凹部１３内へ嵌め込んで取り付けられている。
【００１３】
また、パネル取付用凹部１３の下端中央部に光源用開口２３が開設されているとともに、該光源用開口２３から本体ケース内側へ向かって筒状の導光部２１が延設されており、光源用開口２３が本体ケース内と連通した状態となっている。この光源用開口２３は、パネル取付用凹部１３の下縁よりも所定幅（ここでは、０．３ｍｍ）だけ上側（すなわちパネル取付用凹部１３の内側）に設けられている。つまり、導光部２１の下面（光源用開口２３の開口縁）は、パネル取付用凹部１３の下面（内周面）よりも一段高くなっており、両者の間に形成される段部が遮光段部２２となっている。さらに、本体ケース内の導光部２１の後側となる位置（光源用開口２３内に露出する位置）に、通話表示灯用ＬＥＤ３１が設置されている。一方、パネル１１の下縁であって、パネル１１のパネル取付用凹部１３への取り付け時に光源用開口２３の前側を覆う位置には、通話表示灯用ＬＥＤ３１の発光を視認させるための第２の透明部１１Ｂが設けられている。そして、通話表示灯用ＬＥＤ３１、導光部２１、及び第２の透明部１１によって、通話表示灯２０が構成される。
【００１４】
また、そのように構成された通話表示灯２０では、パネル１１のパネル取付凹部１３への取り付けに際し、各部材の寸法公差等に起因してパネル１１の下縁とパネル取付凹部１３の下面との間に隙間が生じることが予想される。しかしながら、パネル１１及びパネル取付凹部１３は、パネル１１（特に第２の透明部１１Ｂ）の下縁が遮光段部２２の前側に位置する程度、言い換えるなら、パネル１１の下縁とパネル取付凹部１３の下面との間の隙間が遮光段部２２よりも上方にまで及ばない程度の寸法精度を有している。なお、通話表示灯用ＬＥＤ３１は、インターホン親機１の制御基板３０に搭載されており、該制御基板３０に搭載された図示しないＣＰＵ等により点灯／点滅に係る動作を制御されるようになっている。また、制御基板３０には、応答ボタン６の操作を検出するスイッチ３２も搭載されている。
【００１５】
そして、上述したような通話表示灯２０を備えたインターホン親機１では、インターホン子機からの呼び出しがあると通話表示灯用ＬＥＤ３１の点滅が開始され、応答ボタン６による応答操作に伴い通話表示灯用ＬＥＤ３１が点灯された状態となる。この通話表示灯用ＬＥＤ３１の点滅や点灯に伴う光は、導光部２１を通って光源用開口２３から第２の透明部１１Ｂを介して、本体ケースの前面側から視認可能となる。すなわち、通話表示灯２０が点滅したり、点灯したりすることになる。このとき、たとえパネル１１の下縁とパネル取付凹部１３の下面との間に隙間が生じていたとしても、パネル１１の下縁と遮光段部２２とが前後で重なっていることから、通話表示灯用ＬＥＤ３１が発する光が隙間から漏れ出しにくい。
【００１６】
以上のような構成を有するインターホン親機１によれば、パネル１１の下縁に沿って、第２の透明部１１Ｂが設けられている一方、パネル取付用凹部１３における第２の透明部１１Ｂに覆われる位置であって、パネル取付用凹部１３の下縁よりも所定幅だけ上側となる位置に、本体ケース内と連通する光源用開口２３が開設され、光源用開口２３の開口縁とパネル取付用凹部１３の内周面との間に遮光段部２２が形成されており、パネル取付用凹部１３に取り付けられた状態にあるパネル１１の下縁と遮光段部２２とが前後で重なっている。そのため、光源用開口２３内に露出するように本体ケースに内蔵された通話表示灯用ＬＥＤ３１が、インターホン子機との通話に係る状態に応じて点灯／点滅した際、その光がパネル１１とパネル取付用凹部１３との隙間から漏れ出しにくい。したがって、隙間の存在が強調されにくく、外観が損なわれるようなことがない。また、パネル１１やパネル取付用凹部１３の寸法精度をそれほど高める必要がないため、安価に構成することができる。
【００１７】
また、パネル１１の下側に隣接して、押し込み操作可能な応答ボタン６を設けたインターホン親機１において、第２の透明部１１Ｂをパネル１１の下縁に沿って設けているため、応答ボタン６の近傍に通話表示灯２０が設けられることになり、使用者は、通話表示灯２０の点灯／点滅、ひいてはインターホン親機１の通話にかかる状態を判別しやすいし、デザイン性にも優れたインターホン親機１とすることができる。
さらに、通話表示灯用ＬＥＤ３１を、応答ボタン６の押し込み操作を検出するスイッチ３２と同じ制御基板３０に搭載している。したがって、部品点数を削減した合理的な構成とすることができ、インターホン親機１の小型化等を図ることができる。
【００１８】
なお、本発明に係るインターホン機器は、上記実施形態の態様に何ら限定されるものではなく、インターホン機器の全体的な構成は勿論、表示灯や映像表示部等に係る構成についても、本発明の趣旨を逸脱しない範囲で、必要に応じて適宜変更することができる。
【００１９】
たとえば、上記実施形態では、パネルの下縁に沿って表示灯を構成する透明部を１箇所のみ設けているが、パネルの右縁や左縁、若しくは上縁に沿って表示灯を構成する透明部を設けても何ら問題はないし、パネルの複数個所にそのような透明部を設けることも当然可能である。
また、上記実施形態では、表示灯の一例である通話表示灯について説明しているが、インターホン機器自身の状態を報知するものであれば、たとえば機器への通電に係る状態を報知する通電表示灯等、他の表示灯であっても何ら問題はないし、通話表示灯としたところで、どのような通話状態においてどのように点灯／点滅させるかについても上記実施形態の態様に何ら限定されることはなく、適宜変更設計可能である。
【００２０】
さらに、上記実施形態では、段部の幅を０．３ｍｍとしているが、段部の幅をどの程度とするかについても適宜設計変更可能であり、０．２ｍｍ〜１ｍｍ程度の幅であれば、光の漏れ出しを防止しつつ製造コストを安価にするという効果において、十分な効果を奏することができる。
加えて、上記実施形態では、インターホン機器の一例であるインターホン親機について説明しているが、映像を表示する映像表示部を有するものであれば、集合住宅で使用するインターホン機器等の他のインターホン機器であっても何ら問題はない。
【符号の説明】
【００２１】
１・・インターホン親機（インターホン機器）、２・・前ケース（本体ケース）、３・・後ケース（本体ケース）、６・・応答ボタン（操作ボタン）、１０・・映像用開口、１１・・パネル、１１Ａ・・第１の透明部、１１Ｂ・・第２の透明部、１２・・液晶表示装置、１３・・パネル取付用凹部(取付用凹部）、２０・・通話表示灯、２１・・導光部、２２・・遮光段部（段部）、２３・・光源用開口、３０・・制御基板、３１・・通話表示灯用ＬＥＤ（光源）。
【図１】
0006600509.tif 000002
【図２】
0006600509.tif 000003
【図３】
0006600509.tif 000004